(57)【要約】【課題】竪樋の寸法誤差を吸収でき、かつ誤差範囲内であればどのような寸法であっても竪樋に対する取りつけ、取り外しをしやすくできる竪樋支持具を提供する。【解決手段】竪樋支持具１は、帯板を開閉自在に環状に加工してなる竪樋抱持用の樋支持具本体２０と、軒先に固定される取付足部１０とを備えており、樋支持具本体２０は、取付足部１０の前端部１１に揺動自在に連結されており、樋支持具本体２０の平面視における相対向する部位について、その一方部では帯板の幅方向の上部に内向きの突部２１ａが形成され、他方部では帯板の幅方向の下部に内向きの突部２５ａが形成されている。【選択図】図１
2018087442.tif 000002
【特許請求の範囲】
【請求項１】
帯板を開閉自在に環状に加工してなる竪樋抱持用の樋支持具本体と、軒先に固定される取付足部とを備えた竪樋支持具において、
前記樋支持具本体は、前記取付足部の前端部に揺動自在に連結されており、
前記樋支持具本体の平面視における相対向する部位について、その一方部では前記帯板の幅方向の上部に内向きの突部が形成され、他方部では前記帯板の幅方向の下部に内向きの突部が形成されていることを特徴とする竪樋支持具。
【請求項２】
請求項１において、
前記突部は、前記樋支持具本体の取付足部との連結部における前記帯板の幅方向の上部および該連結部の対向側における前記帯板の幅方向の下部に形成されていることを特徴とする竪樋支持具。
【発明の詳細な説明】
【技術分野】
【０００１】
本発明は、帯板を開閉自在に環状に加工してなる竪樋抱持用の樋支持具本体と、軒先に固定される取付足部とを備えた竪樋支持具に関する。
【背景技術】
【０００２】
竪樋支持具は、抱持対象の竪樋の大きさ（丸樋であれば径）に合致した寸法の樋支持具本体を有している。通例では、メーカーによる竪樋の寸法誤差を吸収できるようにするために、樋支持具本体の内面に竪樋を押圧する凸部が形成してある（たとえば、特許文献１参照）。これにより、想定した寸法より少し小さめの径の竪樋でも、少し大きめの径の竪樋でも問題なく抱持することができる。特に凸部にばね性があれば、竪樋を押圧しすぎることなく、よって竪樋の一部に負荷がかかりすぎるおそれもない。
【先行技術文献】
【特許文献】
【０００３】
【特許文献１】特開２０１０−２７０５６３号公報
【発明の概要】
【発明が解決しようとする課題】
【０００４】
しかしながら、小さめの径の竪樋でも樋支持具本体にずれなく抱持させなければならないから樋支持具本体はそれに応じた寸法となり、そのため大きめの径のものに取りつける場合、取りつけがしにくくなり、また窮屈な取りつけ状態となるから、その状態からの取り外しは当然にしにくくなる。
【０００５】
本発明は、このような事情を考慮して提案されたもので、その目的は、竪樋の寸法誤差を吸収でき、かつ誤差範囲内であればどのような寸法であっても竪樋に対する取りつけ、取り外しをしやすくできる竪樋支持具を提供することにある。
【課題を解決するための手段】
【０００６】
上記目的を達成するために、請求項１に記載の竪樋支持具は、帯板を開閉自在に環状に加工してなる竪樋抱持用の樋支持具本体と、軒先に固定される取付足部とを備えた竪樋支持具において、樋支持具本体は、取付足部の前端部に揺動自在に連結されており、樋支持具本体の平面視における相対向する部位について、その一方部では帯板の幅方向の上部に内向きの突部が形成され、他方部では帯板の幅方向の下部に内向きの突部が形成されていることを特徴とする。
【０００７】
請求項２に記載の竪樋支持具は、突部は、樋支持具本体の取付足部との連結部における帯板の幅方向の上部および連結部の対向側における帯板の幅方向の下部に形成されていることを特徴とする。
【発明の効果】
【０００８】
請求項１に記載の竪樋支持具によれば、上述した構成となっているため、竪樋の寸法誤差を吸収できるとともに、誤差範囲内であればどのような寸法であっても取りつけ、取り外しがしにくくなることを防止できる。
【０００９】
請求項２に記載の竪樋支持具によれば、上述した構成となっているため、樋支持具本体の前端部が重力で下方に移動しやすく、そのため樋支持具本体による竪樋の抱持固定作業がしやすい。
【図面の簡単な説明】
【００１０】
【図１】（ａ）（ｂ）は本発明の一実施形態に係る竪樋支持具の平面図、（ｃ）は同竪樋支持具の側面図である。
【図２】（ａ）は図１（ｂ）のＡ−Ａ線に対応した拡大断面図、（ｂ）は同Ｂ−Ｂ線に対応した拡大断面図である。
【図３】（ａ）（ｂ）は、同竪樋支持具の２使用態様例を示す側面図である。
【図４】（ａ）は本発明の他の実施形態に係る竪樋支持具の平面図、（ｂ）は同竪樋支持具の部分拡大斜視図である。
【図５】（ａ）は本発明のさらに他の実施形態に係る竪樋支持具の平面図、（ｂ）は同竪樋支持具の使用態様例を示す側面図である。
【発明を実施するための形態】
【００１１】
以下に、本発明の実施の形態について、添付図面にもとづいて説明する。まず、以下の３種の竪樋支持具１の基本構成について説明する。
【００１２】
本実施形態に係る竪樋支持具１は、帯板を開閉自在に環状に加工してなる竪樋抱持用の樋支持具本体２０と、軒先に固定される取付足部１０とを備えている。樋支持具本体２０は、取付足部１０の前端部１１に揺動自在に連結されている。樋支持具本体２０の平面視における相対向する部位について、その一方部では帯板の幅方向の上部に内向きの突部２１ａが形成され、他方部では帯板の幅方向の下部に内向きの突部２５ａが形成されている（図１、図４および図５参照）。
【００１３】
以下に、この竪樋支持具１の３実施形態について詳細に説明する。まず、図１〜図３に示した竪樋支持具１について説明する。図１（ａ）（ｂ）は竪樋支持具１の平面図であり、図１（ａ）は樋支持具本体２０が開いた状態、図１（ｂ）は閉じた状態の各平面図である。図１（ｃ）は、竪樋支持具１の側面図である。図２（ａ）は図１（ｂ）のＡ−Ａ線に対応した拡大断面図、図２（ｂ）は同Ｂ−Ｂ線に対応した拡大断面図である。図３（ａ）（ｂ）は、同竪樋支持具１の２使用態様例を示す側面図である。
【００１４】
この竪樋支持具１は、円筒状の竪樋３を抱持して支持する樋支持具本体２０と、壁面５（軒先）に固定される取付足部１０とを連結して構成されている。取付足部１０は後端に尖端部１２を有した円柱棒状体とされ、壁面５に打ち込んで固定されるようになっている。なお、周面に記された複数の線は打込み深さの程度を測るための目印線１３である。
【００１５】
樋支持具本体２０は、２つの円弧形状の湾曲帯板を、回動して閉じたときに竪樋３に対応した円形となるようにヒンジ結合してなる。一方の湾曲帯板は抱持基部２１とされ、その中央部が取付足部１０の前端部１１に連結されている。抱持基部２１の一端がヒンジ部２１ｂとされ、他端が樋支持具本体２０を閉止状態とするために他方の湾曲帯板と係止するための係止受部２１ｃとされる。他方の湾曲帯板は蓋部２５であり、蓋部２５の一端がヒンジ部２５ｂとされ、他端が抱持基部２１の係止受部２１ｃに係止する係止部２５ｃとされる。なお、抱持基部２１および蓋部２５のいずれにもリブ２１ｅ、２５ｅが形成されている。
【００１６】
係止部２５ｃは帯板の幅方向に並ぶ２つの開口２５ｄを有しており、係止受部２１ｃは開口２５ｄに対応するように並ぶ２つの突起２１ｄを有している。つまり、抱持基部２１と蓋部２５とを、図１（ａ）に示すように開状態にして抱持基部２１で竪樋３を抱持し、図１（ｂ）に示すように蓋部２５を閉じ、その状態で係止部２５ｃ（開口２５ｄ）を係止受部２１ｃ（突起２１ｄ）に引っ掛けることで竪樋３は抱持固定された状態となる。なお、抱持固定の詳細な状態については図３の説明において後述する。
【００１７】
また樋支持具本体２０には、抱持基部２１の取付足部１０との連結部２２と、この連結部２２の円中心を中心とする対向側に位置する蓋部２５の円弧の略中央部とのそれぞれには、内側を向いた鋸刃状の突部２１ａ、２５ａが形成されている。
【００１８】
抱持基部２１（連結部２２）の突部２１ａは、図２（ａ）に示すように帯板の幅方向の上部に形成され、蓋部２５の突部２５ａは、図２（ｂ）に示すように帯板の幅方向の下部に形成されている。
【００１９】
取付足部１０と樋支持具本体２０との連結はリベット３０のかしめによりなされている。ただし、樋支持具本体２０は取付足部１０に対して固定状態ではなく、弛みのある連結状態であり、取付足部１０の前端部１１に対して揺動自在となっている。竪樋支持具１をたとえば図１（ｃ）のように壁面５に取りつければ、２点鎖線で示すように樋支持具本体２０の前端部２７が重力に従い下方に垂れて側面視で傾斜状態となる。なお、このような連結構造であるため、樋支持具本体２０は前端部２７側が上下に揺動するだけではなく、左右においても上下に揺動する。
【００２０】
このように、樋支持具本体２０の前端部２７が垂れるので、図３に示すように竪樋３を壁面５に平行に配設する場合、抱持される竪樋３の径によっては、たとえば図３（ａ）のように樋支持具本体２０が竪樋３の長手方向に直交する方向に配されることがあるが、竪樋３の径Ｄ２が図３（ａ）に示した竪樋の径Ｄ１よりも小さい場合には、樋支持具本体２０は前端部２７が垂れて傾斜し、竪樋３の長手方向に直交する方向に配されないこともある。
【００２１】
図３（ａ）（ｂ）のいずれの場合も、前後の突部２５ａ、２１ａは竪樋３の表面に当接するため、竪樋３が施工された後には樋支持具本体２０は揺動することはない。竪樋支持具１は複数の高さ位置に配されるが、それらはいずれもこのような突部２１ａ、２５ａが竪樋３に当接した状態となるため、樋支持具本体２０は揺動することなく、竪樋３はそれらの竪樋支持具１にしっかりと支持される。また、竪樋３は通例では軒樋（不図示）、地面（不図示）間に上下にずれないように配設されているため、樋支持具本体２０が竪樋３の上下のずれに起因して揺動するおそれもほとんどない。なお、樋支持具本体２０のずれ動かないように、樋支持具本体２０の前端部２７の上方に開口した、帯板と竪樋３との間にできた隙間に詰め物を入れてもよい。
【００２２】
このように、この竪樋支持具１によれば、竪樋３の寸法誤差を吸収できるとともに、誤差範囲内の寸法であればどのような寸法であっても取りつけ、取り外しがしにくくなることを防止することができる。
【００２３】
なお、樋支持具本体２０で竪樋３を抱持した後に、樋支持具本体２０が揺れ動くことがないように、樋支持具本体２０を取付足部１０に対して種々の手段で固定（ロック）するようにしてもよい。
【００２４】
また、本実施形態のものは連結部２２の突部２１ａは上部に、前端部２７の突部２５ａは下部に形成されているが、竪樋支持具１を天地の区別なく利用できるようにするために、突部２１ａ、突部２５ａのそれぞれが上下両方に形成されたものとしてもよい。なお、天地を間違えないようにするために、樋支持具本体２０の上方への揺動ができない構造としてもよい。
【００２５】
つぎに、図４に示した竪樋支持具１について説明する。図４（ａ）は竪樋支持具１の閉じた状態の平面図、図４（ｂ）は、取付足部１０と樋支持具本体２０との連結構造の部分拡大斜視図である。
【００２６】
この竪樋支持具１の樋支持具本体２０は、図１のものと同様、開閉自在とされるが、連結部２２は、抱持基部２１の一方の端部に設けた挟持片２１ｆと、蓋部２５の一方の端部に設けた挟持片２５ｆとで、取付足部１０の板状とされた前端部１１を挟持してボルト３１、ナット３２止めする構造となっている。両挟持片２１ｆ、２５ｆは後方に折曲されており、それぞれにボルト挿通孔２１ｆａ、２５ｆａが開設され、取付足部１０の前端部１１にもボルト挿通孔１１ａが開設されている。
【００２７】
また、本竪樋支持具１における樋支持具本体２０のヒンジ構造については図１のものと同様である。ようするに、この竪樋支持具１は、抱持基部２１に対する蓋部２５の開閉・固定構造と、取付足部１０に対する樋支持具本体２０の連結構造とが共通化されている。
【００２８】
この樋支持具本体２０の前端部２７には、図１のものと同様、蓋部２５の下部に突部２５ａが形成されている。一方、連結部２２の上部には、抱持基部２１と蓋部２５とに分離された突部２１ａ、２５ｇが形成されている。これらの突部２１ａ、２１ｇは、両挟持片２１ｆ、２５ｆが取付足部１０の前端部１１を挟持した状態で隣どうしに並び、１つの突部を構成する。なお、連結部２２の突部を、分離された２つの突部２１ｆ、２５ｆではなく、１つの突部で構成してもよい。
【００２９】
この竪樋支持具１も図１のものと同様、図３に示したように、竪樋３の径によっては前端部２７が垂れ下がり、前の突部２５ａと、後ろの突部２１ａ、２５ｇとで竪樋３を固定することができる。つまり、図１と同様、前端部２７が上下に揺動する構成となっているため、竪樋３の寸法誤差を吸収することができる。
【００３０】
また、樋支持具本体２０と取付足部１０との連結構造がボルト３１とナット３２によるものであるため、竪樋３を取りつけるときにボルト３１を弛めておけば作業しやすく、取りつけた後に、ボルト３１、ナット３２をしっかりと螺合、固定すればよい。
【００３１】
なお、図４に示した竪樋支持具１における図１のものと同様の構造等については、同一の符号を付して、その説明は省略する。
【００３２】
ついで、図５に示した竪樋支持具１について説明する。図５（ａ）は竪樋支持具１の閉じた状態の平面図、図５（ｂ）はこの竪樋支持具１で竪樋３を支持した状態の正面図（図５（ａ）の方向Ｃより見た図）である。
【００３３】
この竪樋支持具１の樋支持具本体２０も、図１のものと同様、開閉自在とされるが、連結部２２は抱持基部２１の一方の端部側に形成されている。樋支持具本体２０は、その連結部２２で取付足部１０に連結され、竪樋支持具１の（樋支持具本体２０）の前端部２７において、蓋部２５の係止部２５ｃと抱持基部２１の係止受部２１ｃとが係止する形状となっている。
【００３４】
また、抱持基部２１の中央部には鋸刃状の突部２１ａが帯板の幅方向の上部に形成され、蓋部２５には、抱持基部２１の突部２１ａに、円中心を中心として対向するように鋸刃状の突部２５ａが帯板の幅方向の下部に形成されている。つまり方向Ｃより見た場合、図５（ｂ）に示すように、抱持基部２１の突部２１ａは右に、蓋部２５の突部２５ａは左に位置する。
【００３５】
樋支持具本体２０の係止構造、ヒンジ構造、樋支持具本体２０、取付足部１０間の連結構造および取付足部１０の形状については図１のものと同様であり、同一の符号を付して、その説明は省略する。樋支持具本体２０、取付足部１０間の連結構造は図１のものと同様であるから、樋支持具本体２０の左右においても上下に揺動する。そのため、図５（ｂ）に示すように、蓋部２５側（左）を下方に移動させ、抱持基部２１側（右）を上方に移動させた状態で竪樋３を抱持すれば、それぞれの突部２５ａ、２１ａが竪樋３の表面に当接し、竪樋３は竪樋支持具１により支持された状態となる。
【００３６】
本実施形態の竪樋支持具１についても突部２１ａ、２５ａを有しているため、図１のものと同様の効果が奏せられる。また、この竪樋支持具１は天地を区別なく利用できるので、作業性がよい。
【００３７】
なお、本竪樋支持具１は樋支持具本体２０の左右の上下揺動を利用するものであるから、施工後でも不安定となるおそれがある。そのため、樋支持具本体２０の蓋部２５側にできた、上方に開口した隙間に詰め物を入れて揺動を禁止するようにしてもよい。また、樋支持具本体２０を取付足部１０に対して種々の手段で固定（ロック）するようにしてもよい。
【００３８】
図１、図５の実施形態のものは、樋支持具本体２０の取付足部１０との連結部２２は弛みがあるようにリベット３０をかしめて連結する構造となっているが、これに代えてユニバーサルジョイント構造の連結構造としてもよい。そのようにすれば、ある程度硬めの連結構造とすることができ、その結果、施工後に風や竪樋３への接触などにより樋支持具本体２０が揺動することを防止することができる。特に、図５に示した竪樋支持具１は施工後でも不安定となりやすいから、硬めの連結構造を採用することが望ましい。また、リベット３０連結構造に代えて、図４に示したボルト３１、ナット３２止めの構造としてもよい。
【００３９】
なお、以上には丸樋を支持する竪樋支持具１を例示したが、角樋を支持する竪樋支持具についても、上記と同様の突部２１ａ、２５ａで竪樋３を支持する構造を適用できることは言うまでもない。また以上には、取付足部１０として、尖端部１２で打ち込み固定するものを例示したが、これには限定されず、他の種々の固定構造のものであってもよい。
【符号の説明】
【００４０】
１          竪樋支持具
１０        取付足部
１１        前端部
１１ａ      ボルト挿通孔
１２        尖端部
１３        目印線
２０        樋支持具本体
２１        抱持基部
２１ａ      突部
２１ｂ      ヒンジ部
２１ｃ      係止受部
２１ｄ      突起
２１ｅ      リブ
２１ｆ      挟持片
２１ｆａ    ボルト挿通孔
２２        連結部
２５        蓋部
２５ａ      突部
２５ｂ      ヒンジ部
２５ｃ      係止部
２５ｄ      開口
２５ｅ      リブ
２５ｆ      挟持片
２５ｆａ    ボルト挿通孔
２５ｇ      突部
２７        前端部
３０        リベット
３          竪樋
５          壁面
【図１】
2018087442.tif 000003
【図２】
2018087442.tif 000004
【図３】
2018087442.tif 000005
【図４】
2018087442.tif 000006
【図５】
2018087442.tif 000007
【手続補正書】
【提出日】平成29年12月28日(2017.12.28)
【手続補正１】
【補正対象書類名】特許請求の範囲
【補正対象項目名】全文
【補正方法】変更
【補正の内容】
【特許請求の範囲】
【請求項１】
帯板を開閉自在に環状に加工してなる竪樋抱持用の樋支持具本体と、壁面に固定される取付足部とを備えた竪樋支持具において、
前記樋支持具本体は、前記取付足部の前端部に揺動自在に連結されており、
前記樋支持具本体の平面視における相対向する部位について、その一方部では前記帯板の幅方向の上部に内向きの突部が形成され、他方部では前記帯板の幅方向の下部に内向きの突部が形成されており、
前記一方部が前記樋支持具本体の取付足部との連結部とされ、前記他方部が該連結部の対向側とされ、
前記樋支持具本体は、側面視において、抱持する竪樋の長手方向に対する非直交方向に、前記他方部側が下方に垂れるように配され得ることを特徴とする竪樋支持具。
【手続補正２】
【補正対象書類名】明細書
【補正対象項目名】全文
【補正方法】変更
【補正の内容】
【発明の詳細な説明】
【技術分野】
【０００１】
本発明は、帯板を開閉自在に環状に加工してなる竪樋抱持用の樋支持具本体と、壁面に固定される取付足部とを備えた竪樋支持具に関する。
【背景技術】
【０００２】
竪樋支持具は、抱持対象の竪樋の大きさ（丸樋であれば径）に合致した寸法の樋支持具本体を有している。通例では、メーカーによる竪樋の寸法誤差を吸収できるようにするために、樋支持具本体の内面に竪樋を押圧する凸部が形成してある（たとえば、特許文献１参照）。これにより、想定した寸法より少し小さめの径の竪樋でも、少し大きめの径の竪樋でも問題なく抱持することができる。特に凸部にばね性があれば、竪樋を押圧しすぎることなく、よって竪樋の一部に負荷がかかりすぎるおそれもない。
【先行技術文献】
【特許文献】
【０００３】
【特許文献１】特開２０１０−２７０５６３号公報
【発明の概要】
【発明が解決しようとする課題】
【０００４】
しかしながら、小さめの径の竪樋でも樋支持具本体にずれなく抱持させなければならないから樋支持具本体はそれに応じた寸法となり、そのため大きめの径のものに取りつける場合、取りつけがしにくくなり、また窮屈な取りつけ状態となるから、その状態からの取り外しは当然にしにくくなる。
【０００５】
本発明は、このような事情を考慮して提案されたもので、その目的は、竪樋の寸法誤差を吸収でき、かつ誤差範囲内であればどのような寸法であっても竪樋に対する取りつけ、取り外しをしやすくできる竪樋支持具を提供することにある。
【課題を解決するための手段】
【０００６】
上記目的を達成するために、請求項１に記載の竪樋支持具は、帯板を開閉自在に環状に加工してなる竪樋抱持用の樋支持具本体と、壁面に固定される取付足部とを備えた竪樋支持具において、樋支持具本体は、取付足部の前端部に揺動自在に連結されており、樋支持具本体の平面視における相対向する部位について、その一方部では帯板の幅方向の上部に内向きの突部が形成され、他方部では帯板の幅方向の下部に内向きの突部が形成されており、一方部が樋支持具本体の取付足部との連結部とされ、他方部が連結部の対向側とされ、樋支持具本体は、側面視において、抱持する竪樋の長手方向に対する非直交方向に、他方部側が下方に垂れるように配され得ることを特徴とする。
【０００７】
（削除）
【発明の効果】
【０００８】
請求項１に記載の竪樋支持具によれば、上述した構成となっているため、竪樋の寸法誤差を吸収できるとともに、誤差範囲内であればどのような寸法であっても取りつけ、取り外しがしにくくなることを防止できる。
【０００９】
また、請求項１に記載の竪樋支持具によれば、上述した構成となっているため、樋支持具本体の前端部が重力で下方に移動しやすく、そのため樋支持具本体による竪樋の抱持固定作業がしやすい。
【図面の簡単な説明】
【００１０】
【図１】（ａ）（ｂ）は本発明の一実施形態に係る竪樋支持具の平面図、（ｃ）は同竪樋支持具の側面図である。
【図２】（ａ）は図１（ｂ）のＢ−Ｂ線に対応した拡大断面図、（ｂ）は同Ａ−Ａ線に対応した拡大断面図である。
【図３】（ａ）（ｂ）は、同竪樋支持具の２使用態様例を示す側面図である。
【図４】（ａ）は本発明の他の実施形態に係る竪樋支持具の平面図、（ｂ）は同竪樋支持具の部分拡大斜視図である。
【図５】（ａ）は本発明のさらに他の実施形態に係る竪樋支持具の平面図、（ｂ）は同竪樋支持具の使用態様例を示す側面図である。
【発明を実施するための形態】
【００１１】
以下に、本発明の実施の形態について、添付図面にもとづいて説明する。まず、以下の３種の竪樋支持具１の基本構成について説明する。
【００１２】
本実施形態に係る竪樋支持具１は、帯板を開閉自在に環状に加工してなる竪樋抱持用の樋支持具本体２０と、壁面に固定される取付足部１０とを備えている。樋支持具本体２０は、取付足部１０の前端部１１に揺動自在に連結されている。樋支持具本体２０の平面視における相対向する部位について、その一方部では帯板の幅方向の上部に内向きの突部２１ａが形成され、他方部では帯板の幅方向の下部に内向きの突部２５ａが形成されている（図１、図４および図５参照）。
【００１３】
以下に、この竪樋支持具１の３実施形態について詳細に説明する。まず、図１〜図３に示した竪樋支持具１について説明する。図１（ａ）（ｂ）は竪樋支持具１の平面図であり、図１（ａ）は樋支持具本体２０が開いた状態、図１（ｂ）は閉じた状態の各平面図である。図１（ｃ）は、竪樋支持具１の側面図である。図２（ａ）は図１（ｂ）のＢ−Ｂ線に対応した拡大断面図、図２（ｂ）は同Ａ−Ａ線に対応した拡大断面図である。図３（ａ）（ｂ）は、同竪樋支持具１の２使用態様例を示す側面図である。
【００１４】
この竪樋支持具１は、円筒状の竪樋３を抱持して支持する樋支持具本体２０と、壁面５に固定される取付足部１０とを連結して構成されている。取付足部１０は後端に尖端部１２を有した円柱棒状体とされ、壁面５に打ち込んで固定されるようになっている。なお、周面に記された複数の線は打込み深さの程度を測るための目印線１３である。
【００１５】
樋支持具本体２０は、２つの円弧形状の湾曲帯板を、回動して閉じたときに竪樋３に対応した円形となるようにヒンジ結合してなる。一方の湾曲帯板は抱持基部２１とされ、その中央部が取付足部１０の前端部１１に連結されている。抱持基部２１の一端がヒンジ部２１ｂとされ、他端が樋支持具本体２０を閉止状態とするために他方の湾曲帯板と係止するための係止受部２１ｃとされる。他方の湾曲帯板は蓋部２５であり、蓋部２５の一端がヒンジ部２５ｂとされ、他端が抱持基部２１の係止受部２１ｃに係止する係止部２５ｃとされる。なお、抱持基部２１および蓋部２５のいずれにもリブ２１ｅ、２５ｅが形成されている。
【００１６】
係止部２５ｃは帯板の幅方向に並ぶ２つの開口２５ｄを有しており、係止受部２１ｃは開口２５ｄに対応するように並ぶ２つの突起２１ｄを有している。つまり、抱持基部２１と蓋部２５とを、図１（ａ）に示すように開状態にして抱持基部２１で竪樋３を抱持し、図１（ｂ）に示すように蓋部２５を閉じ、その状態で係止部２５ｃ（開口２５ｄ）を係止受部２１ｃ（突起２１ｄ）に引っ掛けることで竪樋３は抱持固定された状態となる。なお、抱持固定の詳細な状態については図３の説明において後述する。
【００１７】
また樋支持具本体２０には、抱持基部２１の取付足部１０との連結部２２と、この連結部２２の円中心を中心とする対向側に位置する蓋部２５の円弧の略中央部とのそれぞれには、内側を向いた鋸刃状の突部２１ａ、２５ａが形成されている。
【００１８】
抱持基部２１（連結部２２）の突部２１ａは、図２（ａ）に示すように帯板の幅方向の上部に形成され、蓋部２５の突部２５ａは、図２（ｂ）に示すように帯板の幅方向の下部に形成されている。
【００１９】
取付足部１０と樋支持具本体２０との連結はリベット３０のかしめによりなされている。ただし、樋支持具本体２０は取付足部１０に対して固定状態ではなく、弛みのある連結状態であり、取付足部１０の前端部１１に対して揺動自在となっている。竪樋支持具１をたとえば図１（ｃ）のように壁面５に取りつければ、２点鎖線で示すように樋支持具本体２０の前端部２７が重力に従い下方に垂れて側面視で傾斜状態となる。なお、このような連結構造であるため、樋支持具本体２０は前端部２７側が上下に揺動するだけではなく、左右においても上下に揺動する。
【００２０】
このように、樋支持具本体２０の前端部２７が垂れるので、図３に示すように竪樋３を壁面５に平行に配設する場合、抱持される竪樋３の径によっては、たとえば図３（ａ）のように樋支持具本体２０が竪樋３の長手方向に直交する方向に配されることがあるが、竪樋３の径Ｄ２が図３（ａ）に示した竪樋の径Ｄ１よりも小さい場合には、樋支持具本体２０は前端部２７が垂れて傾斜し、竪樋３の長手方向に直交する方向に配されないこともある。
【００２１】
図３（ａ）（ｂ）のいずれの場合も、前後の突部２５ａ、２１ａは竪樋３の表面に当接するため、竪樋３が施工された後には樋支持具本体２０は揺動することはない。竪樋支持具１は複数の高さ位置に配されるが、それらはいずれもこのような突部２１ａ、２５ａが竪樋３に当接した状態となるため、樋支持具本体２０は揺動することなく、竪樋３はそれらの竪樋支持具１にしっかりと支持される。また、竪樋３は通例では軒樋（不図示）、地面（不図示）間に上下にずれないように配設されているため、樋支持具本体２０が竪樋３の上下のずれに起因して揺動するおそれもほとんどない。なお、樋支持具本体２０のずれ動かないように、樋支持具本体２０の前端部２７の上方に開口した、帯板と竪樋３との間にできた隙間に詰め物を入れてもよい。
【００２２】
このように、この竪樋支持具１によれば、竪樋３の寸法誤差を吸収できるとともに、誤差範囲内の寸法であればどのような寸法であっても取りつけ、取り外しがしにくくなることを防止することができる。
【００２３】
なお、樋支持具本体２０で竪樋３を抱持した後に、樋支持具本体２０が揺れ動くことがないように、樋支持具本体２０を取付足部１０に対して種々の手段で固定（ロック）するようにしてもよい。
【００２４】
また、本実施形態のものは連結部２２の突部２１ａは上部に、前端部２７の突部２５ａは下部に形成されているが、竪樋支持具１を天地の区別なく利用できるようにするために、突部２１ａ、突部２５ａのそれぞれが上下両方に形成されたものとしてもよい。なお、天地を間違えないようにするために、樋支持具本体２０の上方への揺動ができない構造としてもよい。
【００２５】
つぎに、図４に示した竪樋支持具１について説明する。図４（ａ）は竪樋支持具１の閉じた状態の平面図、図４（ｂ）は、取付足部１０と樋支持具本体２０との連結構造の部分拡大斜視図である。
【００２６】
この竪樋支持具１の樋支持具本体２０は、図１のものと同様、開閉自在とされるが、連結部２２は、抱持基部２１の一方の端部に設けた挟持片２１ｆと、蓋部２５の一方の端部に設けた挟持片２５ｆとで、取付足部１０の板状とされた前端部１１を挟持してボルト３１、ナット３２止めする構造となっている。両挟持片２１ｆ、２５ｆは後方に折曲されており、それぞれにボルト挿通孔２１ｆａ、２５ｆａが開設され、取付足部１０の前端部１１にもボルト挿通孔１１ａが開設されている。
【００２７】
また、本竪樋支持具１における樋支持具本体２０のヒンジ構造については図１のものと同様である。ようするに、この竪樋支持具１は、抱持基部２１に対する蓋部２５の開閉・固定構造と、取付足部１０に対する樋支持具本体２０の連結構造とが共通化されている。
【００２８】
この樋支持具本体２０の前端部２７には、図１のものと同様、蓋部２５の下部に突部２５ａが形成されている。一方、連結部２２の上部には、抱持基部２１と蓋部２５とに分離された突部２１ａ、２５ｇが形成されている。これらの突部２１ａ、２１ｇは、両挟持片２１ｆ、２５ｆが取付足部１０の前端部１１を挟持した状態で隣どうしに並び、１つの突部を構成する。なお、連結部２２の突部を、分離された２つの突部２１ｆ、２５ｆではなく、１つの突部で構成してもよい。
【００２９】
この竪樋支持具１も図１のものと同様、図３に示したように、竪樋３の径によっては前端部２７が垂れ下がり、前の突部２５ａと、後ろの突部２１ａ、２５ｇとで竪樋３を固定することができる。つまり、図１と同様、前端部２７が上下に揺動する構成となっているため、竪樋３の寸法誤差を吸収することができる。
【００３０】
また、樋支持具本体２０と取付足部１０との連結構造がボルト３１とナット３２によるものであるため、竪樋３を取りつけるときにボルト３１を弛めておけば作業しやすく、取りつけた後に、ボルト３１、ナット３２をしっかりと螺合、固定すればよい。
【００３１】
なお、図４に示した竪樋支持具１における図１のものと同様の構造等については、同一の符号を付して、その説明は省略する。
【００３２】
ついで、図５に示した竪樋支持具１について説明する。図５（ａ）は竪樋支持具１の閉じた状態の平面図、図５（ｂ）はこの竪樋支持具１で竪樋３を支持した状態の正面図（図５（ａ）の方向Ｃより見た図）である。
【００３３】
この竪樋支持具１の樋支持具本体２０も、図１のものと同様、開閉自在とされるが、連結部２２は抱持基部２１の一方の端部側に形成されている。樋支持具本体２０は、その連結部２２で取付足部１０に連結され、竪樋支持具１の（樋支持具本体２０）の前端部２７において、蓋部２５の係止部２５ｃと抱持基部２１の係止受部２１ｃとが係止する形状となっている。
【００３４】
また、抱持基部２１の中央部には鋸刃状の突部２１ａが帯板の幅方向の上部に形成され、蓋部２５には、抱持基部２１の突部２１ａに、円中心を中心として対向するように鋸刃状の突部２５ａが帯板の幅方向の下部に形成されている。つまり方向Ｃより見た場合、図５（ｂ）に示すように、抱持基部２１の突部２１ａは右に、蓋部２５の突部２５ａは左に位置する。
【００３５】
樋支持具本体２０の係止構造、ヒンジ構造、樋支持具本体２０、取付足部１０間の連結構造および取付足部１０の形状については図１のものと同様であり、同一の符号を付して、その説明は省略する。樋支持具本体２０、取付足部１０間の連結構造は図１のものと同様であるから、樋支持具本体２０の左右においても上下に揺動する。そのため、図５（ｂ）に示すように、蓋部２５側（左）を下方に移動させ、抱持基部２１側（右）を上方に移動させた状態で竪樋３を抱持すれば、それぞれの突部２５ａ、２１ａが竪樋３の表面に当接し、竪樋３は竪樋支持具１により支持された状態となる。
【００３６】
本実施形態の竪樋支持具１についても突部２１ａ、２５ａを有しているため、図１のものと同様の効果が奏せられる。また、この竪樋支持具１は天地を区別なく利用できるので、作業性がよい。
【００３７】
なお、本竪樋支持具１は樋支持具本体２０の左右の上下揺動を利用するものであるから、施工後でも不安定となるおそれがある。そのため、樋支持具本体２０の蓋部２５側にできた、上方に開口した隙間に詰め物を入れて揺動を禁止するようにしてもよい。また、樋支持具本体２０を取付足部１０に対して種々の手段で固定（ロック）するようにしてもよい。
【００３８】
図１、図５の実施形態のものは、樋支持具本体２０の取付足部１０との連結部２２は弛みがあるようにリベット３０をかしめて連結する構造となっているが、これに代えてユニバーサルジョイント構造の連結構造としてもよい。そのようにすれば、ある程度硬めの連結構造とすることができ、その結果、施工後に風や竪樋３への接触などにより樋支持具本体２０が揺動することを防止することができる。特に、図５に示した竪樋支持具１は施工後でも不安定となりやすいから、硬めの連結構造を採用することが望ましい。また、リベット３０連結構造に代えて、図４に示したボルト３１、ナット３２止めの構造としてもよい。
【００３９】
なお、以上には丸樋を支持する竪樋支持具１を例示したが、角樋を支持する竪樋支持具についても、上記と同様の突部２１ａ、２５ａで竪樋３を支持する構造を適用できることは言うまでもない。また以上には、取付足部１０として、尖端部１２で打ち込み固定するものを例示したが、これには限定されず、他の種々の固定構造のものであってもよい。
【符号の説明】
【００４０】
１          竪樋支持具
１０        取付足部
１１        前端部
１１ａ      ボルト挿通孔
１２        尖端部
１３        目印線
２０        樋支持具本体
２１        抱持基部
２１ａ      突部
２１ｂ      ヒンジ部
２１ｃ      係止受部
２１ｄ      突起
２１ｅ      リブ
２１ｆ      挟持片
２１ｆａ    ボルト挿通孔
２２        連結部
２５        蓋部
２５ａ      突部
２５ｂ      ヒンジ部
２５ｃ      係止部
２５ｄ      開口
２５ｅ      リブ
２５ｆ      挟持片
２５ｆａ    ボルト挿通孔
２５ｇ      突部
２７        前端部
３０        リベット
３          竪樋
５          壁面